(57)【要約】【課題】携帯端末装置を形成する筐体の薄型化を図り得るようにする。【解決手段】フロント側ケース２ａとリア側ケースとからなる表示部側筐体２のフロント側ケース２ａに開口部５を有し、開口部５と対向する表示部側筐体２内に表示部６を備えるとともに、表示部側筐体２内には、表示部６を挟んで対向配置された少なくとも一対のリブ１１を備え、リブ１１に備える爪６ａは凹部を表示部６の側面に備える凹部又は爪６ａと係合させて表示部６を表示部側筐体２内に取着するとともに、開口部５に表示用透光窓９を固着し、表示用透光窓９と表示部６の表示面周縁との間に緩衝材７を介在させるようにした。【選択図】        図３
2004186171.tif 000002
【特許請求の範囲】
【請求項１】
フロント側ケースとリア側ケースとからなる筐体の前記フロント側ケースに開口部を有し、該開口部と対向する筐体内に表示部を備えるとともに、前記筐体内には、前記表示部を挟んで対向配置された少なくとも一対の係止部を備え、該係止部に備える爪は凹部を前記表示部の側面に備える凹部又は爪と係合させて前記表示部を前記筐体内に取着するとともに、前記開口部に表示用透光窓を固着し、該表示用透光窓と前記表示部の表示面周縁との間に緩衝材を介在させるようにしたことを特徴とする表示部の取付構造。
【請求項２】
前記開口部を前記表示部の外形よりも大きくしたことを特徴とする請求項１に記載の表示部の取付構造。
【請求項３】
前記フロント側ケースの開口部周縁には段差部を有し、該段差部には前記表示用透光窓が接着手段を介して固着してあることを特徴とする請求項１又は請求項２に記載の表示部の取付構造。
【請求項４】
請求項１乃至請求項３の何れかに記載の表示部の取付構造を用いて携帯端末装置の筐体内に表示部を取り付けたことを特徴とする携帯端末装置。
【発明の詳細な説明】
【０００１】
【発明の属する技術分野】
本発明は表示部の取付構造及びこれを用いた携帯電話機やＰＤＡ（Ｐｅｒｓｏｎａｌ  Ｄｉｇｉｔａｌ  Ａｓｓｉｓｔａｎｔｓ）等の携帯端末装置に関するものである。
【０００２】
【従来の技術】
従来の携帯端末装置として、図７に一般的な携帯電話機の一例に示すように、この携帯電話機は、複数の操作キー１６を備えた操作部側筐体１と表示部１５を備えた表示部側筐体２とからなり、両筐体１，２はヒンジ部３を介して折り畳むことができるようになっている。
【０００３】
又、表示部側筐体２に表示部６を取り付けるための構造としては特許文献１に開示されたような構造が用いられている。
【０００４】
図５に表示部を筐体内に取り付けた従来の取付構造の部分拡大断面図を、図６に図５の表示用透光窓及び表示部の部分拡大断面図をそれぞれ示すように、表示部側筐体２はフロント側ケース２ａ及びリア側ケース２ｂが組み付けられて一体に構成されており、両ケース２ａ，２ｂは通常、樹脂や金属により形成されている。フロント側ケース２ａには開口部５が形成されており、開口部５の周囲には段差部４が設けられている。
【０００５】
表示部側筐体２内には、表示部が開口部５に面するよう、液晶表示装置等の表示部１５が収納されており、該表示部１５はリア側ケース２ｂの底面に保持されるとともに、表示部１５におけるフロント側ケース２ａの開口部５に面した周縁部は、スポンジ、ゴム等からなる緩衝材１７を介して、段差部４の底部を形成する透光窓貼り付け部材８の裏面に表示されている。
【０００６】
段差部４には、表示部側筐体２内に収納された表示部１５のガラスパネルを保護するために表示用透光窓９が、表示部１５を覆うよう嵌め込まれており、表示用透光窓９と透光窓貼り付け部材８とは両面接着テープ１０を介して接着されている。表示部１５に表示された情報表示画面は、外部１２から表示用透光窓９を通して視覚的に見ることができるようになっている。
【０００７】
このように表示用透光窓９を両面接着テープ１０により透光窓貼り付け部材８に固設することにより、表示用透光窓９と透光窓貼り付け部材８との間から、表示部側筐体２内に塵埃が侵入することを防止するようになっている。又、透光窓貼り付け部材８の幅Ｗ１を大きく取ることにより、両面接着テープ１０の幅を広くし、表示用透光窓９を透光窓貼り付け部材８に対し強固に固設し得るようになっている。
【０００８】
なお、図５中、Ｈ１は表示部１５のガラスパネルと表示用透光窓９との間の距離で、組み付けた状態では空隙になる部分である。又、Ｈ２はフロント側ケース２ａの外表面から段差部４の底面までの高さである。
【０００９】
【特許文献１】
特開２０００−３０７２５８号公報
【００１０】
【発明が解決しようとする課題】
ところで、近年、携帯端末装置には、小型化の一環として薄型化が求められている。しかしながら、従来の携帯端末装置においては、表示部１５のガラスパネルと表示用透光窓９との間の距離Ｈ１が大きいため、表示部側筐体２の厚み方向の寸法が大きくなり、薄型化することが困難であった。特に、表示部側筐体２におけるフロント側ケース２ａの外表面から段差部４の底面までの高さＨ２は、表示用透光窓９の厚みにより決定されるため、表示部側筐体２を薄くするためには、両面接着テープ１０や緩衝材１７を薄くする以外に手段がない。
【００１１】
しかし、両面接着テープ１０を薄くした場合の弊害として、携帯端末装置を落とした際に、衝撃により表示用透光窓９が脱落することがある。又、スポンジやゴム等により形成されている緩衝材１７を薄くした場合には、緩衝材１７の緩衝機能が低下し、表示部６を破損させる虞があった。
【００１２】
本発明は上述の実情に鑑み、筐体の薄型化に適した表示部の取付構造及びこれを用いた携帯端末装置を提供することを目的としてなしたものである。
【００１３】
【課題を解決するための手段】
上記課題に鑑み、請求項１に係る発明の表示部の取付構造は、フロント側ケースとリア側ケースとからなる筐体の前記フロント側ケースに、表示部の外形より大きな開口部を設け、この開口部と対向する筐体内に表示部を設置するとともに、前記筐体内には、前記表示部を挟んで対向配置された少なくとも一対の係止部を設け、これら係止部に備える爪は凹部を前記表示部の側面に備える凹部又は爪と係合させて表示部を筐体内に取着するとともに、前記開口部に表示用透光窓を固着し、表示用透光窓と表示部の表示面周縁との間に緩衝材を介在させるようにしことを特徴とする。
【００１４】
請求項２に係る発明は、請求項１に記載の表示部の構造において、前記開口部を前記表示部の外形よりも大きくしたことを特徴とする。
【００１５】
請求項３に係る発明は、請求項１又は請求項２に記載の表示部の取付構造において、前記フロント側ケースの開口部周縁に段差部を設け、この段差部に前記表示用透光窓を接着手段を介して固着するようにしたことを特徴とする。
【００１６】
請求項４に係る発明は、請求項１乃至請求項３の何れかに記載の表示部の取付構造を用いて筐体に表示部を取り付けることにより携帯端末を形成したことを特徴とする。
【００１７】
【発明の実施の形態】
以下、本発明の実施形態について説明する。
図１は本発明の携帯端末装置として携帯電話機に適用した例を示す斜視図である。
この携帯電話機は、複数の操作キー１６を有する操作部側筐体１と表示部６を有する表示部側筐体２とからなり、両筐体１，２はヒンジ部３を介して折り畳むことができるようになっている。
【００１８】
表示部側筐体２は、図２に示すように、フロント側ケース２ａとリア側ケース２ｂとからなり、フロント側ケース２ａには表示部６の外形より大きな開口部５を設けてある。そして、開口部５と対向する表示部側筐体２内に、液晶表示装置等の表示部６を収容するようになっている。
【００１９】
図３は表示部６の取付状態を示す部分拡大断面図で、フロント側ケース２ａの開口部５の周囲には段差部４を有し、段差部４の底面をなす透光窓貼り付け部材８に両面接着テープ１０を介して表示用透光窓９を固着するようになっている。
【００２０】
又、開口部５の両側にある透光窓貼り付け部材８の両端には、それぞれリア側ケース２ｂ側に向かって延びる係止部としてのリブ１１を備え、互に対向した位置に配置してある。各リブ１１にはスリット１１ａを備えるとともに、表示部６の側面にはそれぞれ、爪６ａを有し、この表示部６の爪６ａをリブ１１のスリット１１ａに嵌め込んで係合させることにより、表示部６を表示部側筐体２内に取着するようになっている。
【００２１】
そのため、本図示例における表示部の取付構造によれば、図５、図６に示す従来の取付構造のように、表示部１５をフロント側ケース２ａの透光窓貼り付け部材８とリア側ケース２ｂとで挟持する必要がなく、又、表示部１５を透光窓貼り付け部材８との間に介在させていた緩衝材１７を省くことがてきる。しかも、フロント側ケース２ａの開口部５は、表示部６の外形より大きくしてあるため、表示部６の表示面６ｂの位置を透光窓貼り付け部材８の下面よりも上方へ移動させることができる。その結果、表示部６のガラスパネル（表示面６ｂ）と表示用透光窓９との間の距離Ｈ１を図６に示す場合よりも小さくすることができるため、表示部側筐体２の厚みを図５に示す場合と比較して大幅に薄くすることができる。
【００２２】
又、表示部側筐体２の薄型化のために透光窓貼り付け部材８に両面接着テープ１０を薄くする必要がないため、携帯電話機を落とした際に、衝撃を受けても表示用透光窓９が脱落することがない。
【００２３】
なお、７は表示用透光窓９と表示部６の表示面周縁部との間に配置したスポンジやゴム等からなる緩衝材で、この緩衝材７により表示用透光窓９と表示部６の間の間隔を略一定に保つことができるとともに、表示用透光窓９に外部より大きな応力が作用したとしてもその応力を緩衝材７で吸収して表示部６に作用する応力を低減することができる。又、緩衝材７を薄くする必要もないため、緩衝材７の緩衝機能が低下することがなく、表示部６のガラスパネルが破損する虞もない。
【００２４】
図４は本発明の他の実施形態で、表示用透光窓及び表示部を示す部分拡大断面図であり、図中、図３と同一の符号を付した部分は同一のものを表わしている。而して、本図示例の基本的な構成は図３に示すものと略同様である。
【００２５】
本図示例においては、開口部５の周縁部内側には、断面形状が面取りを施された三角形状で上面が透光窓貼り付け部材８の上面と同一高さ面となるよう、透光窓貼り付け部材１３が、表示部６の側縁側へ突出するよう設けられている。
【００２６】
本図示例においても、図３の実施の形態と同様の作用効果を奏することができる。しかし、図４の実施形態では、段差部４の幅及び長さは従来の場合と同じままで、開口部５の幅及び長さを大きくしているため、透光窓貼り付け部材８の幅すなわち面積が狭くなり、従って、両面接着テープ１０の幅が狭くなり、表示用透光窓９を透光窓貼り付け部材８に対し、より強固に固定しようとしても限界がある。
【００２７】
しかるに、本図示例では、表示用透光窓９を段差部４内に保持するための両面接着テープ１０は、透光窓貼り付け部材８，１３の上面に接着することができるため、両面接着テープ１０の貼り付け面積を拡大することができ、表示用透光窓９の透光窓貼り付け部材８，１３に対する固定を更に強固なものとすることができる。
【００２８】
又、表示部６を透光窓貼り付け部材１３の内側端面よりも大きくして、表示部６における端面の角部を透光窓貼り付け部材１３に対しオーバラップさせることにより、表示部６がリア側ケース２ｂ側から押圧されても、表示部６の端面が透光窓貼り付け部材１３に当接することにより前面に飛び出すことを防止することができ、従って、表示用透光窓９が両面接着テープ１０から剥がれることを防止することができる。
【００２９】
なお、本発明の表示部の取付構造及びこれを用いた携帯端末装置は、上述の図示例にのみ限定されるものではなく、本発明の要旨を逸脱しない範囲内において種々変更を加え得ることは勿論である。
【００３０】
【発明の効果】
以上、説明したように本発明の請求項１〜請求項４に記載の表示部の取付構造及びこれを用いた携帯端末装置によれば、これまでにない筐体の薄型化を図ることができるという優れた効果を奏し得る。
【図面の簡単な説明】
【図１】本発明の携帯端末装置の一例である携帯電話機を示す斜視図である。
【図２】図１の携帯電話機における表示部側筐体のみを示す分解斜視図である。
【図３】図１の携帯電話機におけるＸ−Ｘ線断面の表示部の取付状態を示す部分拡大断面図である。
【図４】本発明の他の実施形態である表示部の取付構造を示す部分拡大断面図である。
【図５】従来の表示部の取付構造を示す部分拡大断面図である。
【図６】図５の表示部近傍を示す部分拡大断面図である。
【図７】一般的な携帯電話機の一例を示す斜視図である。
【符号の説明】
１  操作部側筐体
２  表示部側筐体（筐体）
２ａ    フロント側ケース
２ｂ    リア側ケース
３  ヒンジ
４    段差部
５  開口部
６    表示部
６ａ    爪
７    緩衝材
８  透光窓貼り付け部材
９    表示用透光窓
１０    両面接着テープ（接着手段）
１１  リブ（係止部）
１１ａ    スリット
１２  外部
１３  透光窓貼り付け部材
Ｈ１  距離
【図１】
2004186171.tif 000003
【図２】
2004186171.tif 000004
【図３】
2004186171.tif 000005
【図４】
2004186171.tif 000006
【図５】
2004186171.tif 000007
【図６】
2004186171.tif 000008
【図７】
2004186171.tif 000009